(57)【特許請求の範囲】
【請求項１】
カード表面に接点を持つＩＣカードを、カード端面にコネクタを持つＩＣメモリカードが装着されるＰＣカードスロットに装着するためのＩＣカードアダプタにおいて、
ＩＣカードを載せるステージを備え、かつこのステージにＩＣカードの接点と接触する接点を露出させるとともに、ＰＣカードスロットのコネクタに接続するコネクタを備えたベースと、
前記ベースのコネクタ側に設けられたスイッチと、
前記ベースに対して開閉可能に設けられる回転カバーとを備え、
前記ベースと回転カバーの間にＩＣカードを挟み込んだ状態でＰＣカードスロットに対して抜き差しするものとし、
前記スイッチは、前記ベース側のコネクタと前記ＰＣカードスロット側のコネクタが接触している間に、前記ＰＣカードスロットに対する抜き差しによってＯＮまたはＯＦＦ動作を行い、ＯＮ動作で前記ＩＣカードの接点と前記ベース側のコネクタとを電気的に接続し、ＯＦＦ動作で前記ＩＣカードの接点と前記ベース側のコネクタとを電気的に切断することを特徴とするＩＣカードアダプタ。
【発明の詳細な説明】
【０００１】
【発明の属する技術分野】
本発明は、ＰＣカードスロットに対してＩＣカードを使用するためのＩＣカードアダプタに関するものである。
【０００２】
【従来の技術】
カード表面に接点を持つＩＣカードを、カード端面にコネクタを持つＪＥＩＤＡ  ＩＣメモリカード規格カード（ＰＣカード）が装着されるＰＣカードスロットに装着するために、従来は、ＰＣカードスロットのカード挿入部分の厚み方向の幅よりＩＣカードの厚み分の幅を差し引いた厚みを持つベースの表面にＩＣカードの接点と接触する接点を設けるとともに、この接点と電気的に接続しているコネクタをＰＣカードスロットのコネクタに合わせてベースの端面に備えたＩＣカードアダプタを用いていた。
【０００３】
このＩＣカードアダプタを使用する場合、まず、ＩＣカードアダプタをＰＣカードスロットに挿入した後、ベースとＰＣカードスロットの間にできる隙間をスロットと見立ててＩＣカードを挿入していた。
【０００４】
【発明が解決しようとする課題】
しかしながら、上述した従来のＩＣカードアダプタでは、各種障害が発生する可能性があった。すなわち、ＩＣカードアダプタ上のＩＣカードは剥き出しの状態であるので、データ転送中のＩＣカードに不用意に触れてしまい、データを破壊してしまうことがあった。
【０００５】
また、ＩＣカード挿入時は、ベース上を滑らせて挿入するので、ＩＣカードの接点とベース側の接点とは擦れながら接続することになり、接点の寿命が短くなるとともに、接点同士が擦れることで発生するゴミが接点に付着して接触不良の原因となっていた。
さらに、ＩＣカードが剥き出しの状態であるので、データ転送中であってもＩＣカードをベース上から引き抜いてしまうことができ、ＩＣカードが破壊される可能性があった。
【０００６】
また、ＩＣカードの接点とベース側の接点を確実に接触させる機構がないので、接触圧が安定せず、接触不良の原因となっていた。
さらに、ベース側の接点は、ＩＣカードを搭載していない状態では剥き出しのままであるので、容易に触れることができ、破壊される可能性があった。
【０００７】
【課題を解決するための手段】
上述した課題を解決するため、本発明は、カード表面に接点を持つＩＣカードを、カード端面にコネクタを持つＩＣメモリカードが装着されるＰＣカードスロットに装着するためのＩＣカードアダプタにおいて、ＩＣカードを載せるステージを備え、かつこのステージにＩＣカードの接点と接触する接点を露出させるとともに、ＰＣカードスロットのコネクタに接続するコネクタを備えたベースと、前記ベースのコネクタ側に設けられたスイッチと、前記ベースに対して開閉可能に設けられる回転カバーとを備え、前記ベースと回転カバーの間にＩＣカードを挟み込んだ状態でＰＣカードスロットに対して抜き差しするものとし、前記スイッチは、前記ベース側のコネクタと前記ＰＣカードスロット側のコネクタが接触している間に、前記ＰＣカードスロットに対する抜き差しによってＯＮまたはＯＦＦ動作を行い、ＯＮ動作で前記ＩＣカードの接点と前記ベース側のコネクタとを電気的に接続し、ＯＦＦ動作で前記ＩＣカードの接点と前記ベース側のコネクタとを電気的に切断することを特徴とする。
【０００８】
【発明の実施の形態】
図１は本発明のＩＣカードアダプタの第１の実施の形態を示す外観斜視図、図２は図１に示す第１の実施の形態のＩＣカードアダプタの使用状態を示す側面図である。
図において、１はＩＣカードアダプタの本体で、ＰＣカードと同じ大きさを持ち、ベース２と、このベース２に対して支点３を中心にした回転動作により開閉可能な回転カバー４とにより構成される。
【０００９】
ベース２の上面は、ＩＣカード５を載せるステージ６となっている。このステージ６において、回転カバー３の支点側にはＩＣカード５の一方の位置を規制する突き当てブロック７が形成してあるとともに、その反対側には、ＩＣカード５の他方の位置を規制する２個のリブ８が形成してある。
ここで、突き当てブロック７は、ＩＣカード５の形状に合わせたＲ形状を持たせてある。また、リブ８もＩＣカード５の形状に合わせたＲ形状を持ち、突き当てブロック７と２個のリブ８でＩＣカード５の前後および左右の位置を規制している。さらに、リブ８はＩＣカードアダプタ１をパソコン等のＰＣカードスロット９に挿入する際、挿入の妨げにならない位置に形成される。
【００１０】
なお、ベース２の突き当てブロック７が設けられる側には支点３が設けられており、この支点３を中心に回転カバー３が開閉可能となっているが、ＩＣカードアダプタ１の挿入方向先端側の幅とＩＣカード５の幅を同じするため、支点３の位置をＩＣカード５の先端と重ならない位置とし、突き当てブロック７の部分の幅を狭くして回転カバー４の支点３に支持される部分が入り込むようにしてある。
【００１１】
ベース２の後端側には、回転カバー４を閉状態でロックするための凹部１０が設けてある。この凹部１０に対応して、回転カバー４の支点３に支持される側と反対側には凸部１１が設けてあり、回転カバー４を閉めると、図２内の拡大図に示すように、この凸部１１が凹部１０に嵌まり、回転カバー４は閉状態でロックされる。なお、回転カバー４を開放するには、回転カバー４の凸部１１が設けてある部分を持ち上げることで、凸部１１が凹部１０から外れてロックが解除される。
【００１２】
また、ベース２内には信号処理のための回路が形成されている基板１２が実装され、この基板１２に実装される接点１３を前記ステージ６より露出させてある。
図３はＩＣカードの外観斜視図で、ＩＣカード５には接点５ａが露出しており、ＩＣカード５を所定の向きでステージ６に載せると、該ステージ６に露出している接点１３とＩＣカード５の接点５ａの位置が合って接触するようになっている。
【００１３】
さらに、基板１２にはコネクタ１４が実装され、このコネクタ１４がベース２の突き当てブロック７側の先端より露出して、ＰＣカードスロット９に設けたコネクタ１５と接続するようになっている。
図４はＰＣカードスロットの要部斜視図で、ＰＣカードスロット９は、その中央部がＰＣカードの凸部を避けるために大きく開いたコの字形状となっている。そして、ＰＣカードスロット９の高さ方向の幅ｈとＩＣカードアダプタ１のＰＣカードスロット９に挿入される部分の厚みを同じとしてある。すなわち、回転カバー４の厚みとＩＣカード５の厚みとベース２の厚みを加えた値が前記ｈとなるようにしてある。
【００１４】
以下に、動作を説明する。
図１に示すように、回転カバー４を開いた状態とすると、ステージ６には接点１３が露出している。
この接点１３にＩＣカード５の接点５ａが対向するように、該ＩＣカード５は接点５ａのある面を下に向け、かつ突き当てブロック７とリブ８の間のステージ６上に位置を合わせて搭載する。
【００１５】
この状態で回転カバー４を支点３を中心に回転させて閉じると、回転カバー４の凸部１１がベース２の凹部１０に嵌まり、回転カバー４は閉状態でロックされる。
このとき、上述したように、回転カバー４の厚みとＩＣカード５の厚みとベース２の厚みを加えた値が、ＰＣカードスロット９の高さ方向の幅ｈとなるように寸法を決めてあり、回転カバー４はＩＣカード５全面を覆っているので、ＩＣカード５は回転カバー４によりベース２方向に押し付けられ、接点５ａは接点１３に押し付けられる。これにより、安定した接点接触が得られることになる。
【００１６】
次に、上述した動作によりＩＣカード５を搭載したＩＣカードアダプタ１を図２に示すようにＰＣカードスロット９に挿入する。そして、ＩＣカードアダプタ１をＰＣカードスロット９にさらに挿入して行くと、コネクタ１４とコネクタ１５が接続し、これにより、ＩＣカード５と図示しないパソコン等がＩＣカードアダプタ１を介して接続される。
【００１７】
ＩＣカード５を取り出すには、まず、ＩＣカードアダプタ１をＰＣカードスロット９から引き抜く。ＩＣカードアダプタ１をＰＣカードスロット９から引き抜いて行くと、コネクタ１４がコネクタ１５から外れ、ＩＣカードアダプタ１をＰＣカードスロット９から完全に引き抜いた後、回転カバー４の凸部１１をベース２の凹部１０から外して該回転カバー４を開けることで、ＩＣカード５を取り出すことができる。
【００１８】
以上説明したように、本発明のＩＣカードアダプタの第１の実施の形態によれば、ＩＣカードアダプタに開閉可能な回転カバーを設けて、この回転カバーでＩＣカードを覆うようにしたので、ＩＣカードに不用意に触れることがなくなり、データ転送中のＩＣカードに触れてしまいデータ転送不良が発生することを防止できる。また、回転カバーでＩＣカードの接点をＩＣカードアダプタ側の接点に押し付けるようにしたので、確実に接点を接触させることが可能となり、たとえ反ったＩＣカードでも安定した動作が得られる。
【００１９】
さらに、ＩＣカードを搭載していない状態においても、回転カバーがＩＣカードアダプタ側の接点をカバーすることで、接点を保護することが可能となる。
また、回転カバーだけでなく、リブと突き当てブロックでＩＣカードの位置を規制しているので、データ転送中にＩＣカードアダプタ内でＩＣカードが動いてしまうことを防止できる。
【００２０】
さらに、ＩＣカードアダプタがＰＣカードスロットに挿入されている状態では、回転カバーとリブとでＩＣカード単体での取り出しが不可能となっており、データ転送中にＩＣカードが取り出されることを防止できる。
また、回転カバーの支点をＩＣカードアダプタの挿入方向先端側に設けたので、ＩＣカードアダプタをＰＣカードスロットに挿入するとき、回転カバーが開いてしまうことを防止できる。
【００２１】
さらに、ＩＣカードをベースに搭載する際に、ＩＣカードの接点とベースの接点が擦れ合うことなく搭載できるので、接点の寿命を長くし、かつ、接点同士が擦れることで発生するゴミによる接触不良を無くすことができる。
図５は本発明のＩＣカードアダプタの第２の実施の形態を示す外観斜視図、図６は図５に示す第２の実施の形態のＩＣカードアダプタの使用状態を示す側面図である。
【００２２】
この第２の実施の形態のＩＣカードアダプタは、図１，図２で説明した第１の実施の形態のＩＣカードアダプタに、検出スイッチ２１を設けたものであり、その他の構成は、第１の実施の形態のＩＣカードアダプタと同じである。
検出スイッチ２１は、ベース２のコネクタ１４が露出している側に設けられ、作動子がベース２のコネクタ１４が設けられている面から突出している。
【００２３】
この検出スイッチ２１は、ＩＣカードアダプタ１をＰＣカードスロット９に挿入して行き、該ＩＣカードアダプタ１のコネクタ１４とＰＣカードスロット９のコネクタ１５が接触した後に、作動子が該ＰＣカードスロット９のコネクタ１５が設けられている面に突き当たり押されてＯＮ状態となる。ここで、検出スイッチ２１のＯＮ状態とは、基板１２内において、接点５ａとコネクタ１４が電気的に接続する状態である。
【００２４】
また、検出スイッチ２１は、ＩＣカードアダプタ１をＰＣカードスロット９から引き抜いて行くと、作動子が該ＰＣカードスロット９のコネクタ１５が設けられている面から離れてＯＦＦ状態となり、その後、ＩＣカードアダプタ１のコネクタ１４とＰＣカードスロット９のコネクタ１５の接触が解除される。ここで、検出スイッチ２１のＯＦＦ状態とは、基板１２内において、接点５ａとコネクタ１４が電気的に切断される状態である。
【００２５】
このように、検出スイッチ２１は、ＩＣカードアダプタ１のコネクタ１４とＰＣカードスロット９のコネクタ１５が接触している間に、ＯＮ，ＯＦＦ動作を行うようになっており、コネクタ１４とコネクタ１５が接触を開始するとき、および接触しているコネクタ１４とコネクタ１５が離れるときのいずれも、接点５ａとコネクタ１４の間は電気的に接続していない状態である。
【００２６】
以下に、動作を説明する。
図５に示すように、回転カバー４を開いた状態とすると、ステージ６には接点１３が露出している。
この接点１３にＩＣカード５の接点５ａが対向するように、該ＩＣカード５は接点５ａのある面を下に向け、かつ突き当てブロック７とリブ８の間のステージ６上に位置を合わせて搭載する。
【００２７】
この状態で回転カバー４を支点３を中心に回転させて閉じると、回転カバー４の凸部１１がベース２の凹部１０に嵌まり、回転カバー４は閉状態でロックされる。
次に、上述した動作によりＩＣカード５を搭載したＩＣカードアダプタ１を図６に示すようにＰＣカードスロット９に挿入する。
【００２８】
このとき、上述したように、回転カバー４の厚みとＩＣカード５の厚みとベース２の厚みを加えた値が、ＰＣカードスロット９の高さ方向の幅ｈとなるように寸法を決めてあるので、ＩＣカード５は回転カバー４によりベース２方向に押し付けられ、接点５ａは接点１３に押し付けられる。これにより、安定した接点接触が得られることになる。そして、ＩＣカードアダプタ１をＰＣカードスロット９にさらに挿入して行くと、コネクタ１４とコネクタ１５が接触を開始する。
【００２９】
この後、検出スイッチ２１の作動子がＰＣカードスロット９のコネクタ１５が設けられている面に突き当たり押されてＯＮ状態となり、所定の位置までＩＣカードアダプタ１が挿入されると、コネクタ１４とコネクタ１５が完全に接続された状態となる。これにより、ＩＣカード５と図示しないパソコン等がＩＣカードアダプタ１を介して接続される。
【００３０】
上述したように、コネクタ１４とコネクタ１５が接触を開始するときは、接点５ａとコネクタ１４の間は電気的に接続していない状態であるので、コネクタ１４とコネクタ１５が接触を開始した段階ではＰＣカードスロット９を搭載する機器側とＩＣカード５とは電気的な接続は行われず、ＩＣカード５は電気的に保護される。
【００３１】
ＩＣカード５を取り出すには、まず、ＩＣカードアダプタ１をＰＣカードスロット９から引き抜く。このとき、コネクタ１４とコネクタ１５が接触している間に、検出スイッチ２１の作動子がＰＣカードスロット９のコネクタ１５が設けられている面から離れてＯＦＦ状態となり、この後、コネクタ１４とコネクタ１５の接触が解除される。
【００３２】
上述したように、接触しているコネクタ１４とコネクタ１５が離れるときは、接点５ａとコネクタ１４の間は電気的に接続していない状態であるので、コネクタ１４とコネクタ１５が離れる段階ではＰＣカードスロット９を搭載する機器側とＩＣカード５とは電気的な切断は行われず、ＩＣカード５は電気的に保護される。
【００３３】
そして、ＩＣカードアダプタ１をＰＣカードスロット９から完全に引き抜いた後、回転カバー４の凸部１１をベース２の凹部１０から外して該回転カバー４を開けることで、ＩＣカード５を取り出すことができる。
以上説明したように、本発明のＩＣカードアダプタの第２の実施の形態によれば、ＩＣカードアダプタをＰＣカードスロットに対して抜き差しする際、ＩＣカードアダプタのコネクタとＰＣカードスロットのコネクタが接触している間に、ＯＮ，ＯＦＦ動作を行う検出スイッチを設けたので、上述した第１の実施の形態のＩＣカードアダプタで得られる効果に加えて、ＩＣカードの電気的な保護を行うことができる。
【００３４】
また、前記検出スイッチは、ベースのコネクタが露出している側に設けられ、ＩＣカードアダプタをＰＣカードスロットに対して抜き差しすることで作動するので、確実に作動させることができる。
【００３５】
【発明の効果】
以上説明したように、本発明のＩＣカードアダプタは、ＩＣカードを載せるステージを備え、かつこのステージにＩＣカードの接点と接触する接点を露出させたベースに対して開閉可能な回転カバーを備え、前記ベースと回転カバーの間にＩＣカードを挟み込んだ状態でＰＣカードスロットに対して抜き差しすることとしたので、ＩＣカードアダプタにＩＣカードを実装した状態では、ＩＣカードに不用意に触れることができなくなり、データ転送中のＩＣカードを保護することができる。
【００３６】
また、回転カバーでＩＣカードをベースに押し付けることとしたので、ＩＣカードの接点とベースの接点とを確実に接触させることが可能となり、安定した動作が得られる。
さらに、ＩＣカードを載せていない状態のときは、回転カバーを閉じることで、ベース側の接点を保護することが可能となる。
【図面の簡単な説明】
【図１】本発明のＩＣカードアダプタの第１の実施の形態を示す外観斜視図
【図２】第１の実施の形態のＩＣカードアダプタの使用状態を示す側面図
【図３】ＩＣカードの外観斜視図
【図４】ＰＣカードスロットの要部斜視図
【図５】本発明のＩＣカードアダプタの第２の実施の形態を示す外観斜視図
【図６】第２の実施の形態のＩＣカードアダプタの使用状態を示す側面図
【符号の説明】
１  ＩＣカードアダプタ
２  ベース
３  支点
４  回転カバー
【図１】
0003585336.tif 000002
【図２】
0003585336.tif 000003
【図３】
0003585336.tif 000004
【図４】
0003585336.tif 000005
【図５】
0003585336.tif 000006
【図６】
0003585336.tif 000007